(57)【特許請求の範囲】
【請求項１】
椅子の座部側方に取り付けられるメモ台ユニットと、メモ台に固定される回転ユニットを具備し、メモ台ユニットにはメモ台を水平状態で保持するよう先端部が水平に湾曲する水平部が形成され、回転ユニットはメモ台に固定ねじで取り付けられる固定プレートと該固定プレートに回転可能に連結される連結プレートを有し、上記回転ユニットを上記水平部の周りで回転するよう上記水平部を挟んで受け部プレートと上記回転ユニットの連結プレートを連結ねじで連結し、上記メモ台を所定角度回転した際上記連結ねじと固定ねじが当接するよう上記連結ねじの先端にストッパー部を設けるとともに上記固定ねじに突起を設けたメモ台付き椅子。
【請求項２】
上記固定ねじの突起は、固定ねじの頭部であり、連結ねじのストッパー部は連結ねじの延長部である請求項１に記載のメモ台付き椅子。
【請求項３】
上記メモ台ユニットは上記水平部の下方に延びる起立部と該起立部の下端から座部方向に延びる差込部を有し、座部の下面に上記差込部を着脱可能に挿入支持する受けパイプを設けた請求項１に記載のメモ台付き椅子。
【請求項４】
上記差込部には、受けパイプに当接する位置決め部材が設けられている請求項３に記載のメモ台つき椅子。
【請求項５】
上記回転ユニットの固定プレートは周辺板部より隆起する中央板部を有し、連結プレートは周辺板部より凹陥する中央部板を有し、該固定プレートと連結プレートの中央板部を中心軸で回転自在にかつ分離不能に連結した際、中央板部の周辺の周辺板部間には回動空間が形成されている請求項１に記載のメモ台付き椅子。
【請求項６】
上記連結プレートには、受け部プレートに取り付けるためのねじ孔が形成され、ストッパー部を有する連結ねじのねじ孔は連結プレートの回転中心よりも半径方向外側に設けられ、ストッパー部を有しない連結ねじのねじ孔はそれよりも半径方向内方に設けられている請求項５に記載のメモ台付き椅子。
【発明の詳細な説明】
【技術分野】
【０００１】
本発明は、着座者の前面に水平状態で移動してテーブルとして使用し、不使用時は座部の側方に収納することができるメモ台付き椅子に関する。
【背景技術】
【０００２】
水平状態で使用し、不使用時は座部の側方に収納可能にメモ台を取り付けたメモ台付き椅子が知られている(例えば特許文献１参照)。この種の椅子は、座部の側部にメモ台を支持するための支持フレームを起立し、この支持フレームの上部に形成した水平部に回転可能にメモ台を取り付け、使用時にメモ台を旋回させて水平状態に保持できるように構成されている。そして、不使用時は支持フレームの水平部を軸としてメモ台を外方に回転し、座部の側方に起立状態で保持したり、起立状態から先端を下方に向けて回転し垂下した状態でメモ台を保持している。例えば、特許文献１に記載のメモ台は、支持フレームの水平部に回転自在にボスを取り付け、このボスにメモ台の裏面に取り付けた金具を旋回可能にピンで連結し、メモ台の前部裏面にコ字状のスライド金具を固定すると共に支持フレームに水平のまま内向きに折り曲げたメモ台支持部を形成してこのメモ台支持部にスライド金具を移動可能に挿入している。上記構成により、使用状態ではメモ台はメモ台支持部により水平に保持され、不使用時はメモ台を水平方向外向きに旋回させると、スライド金具は、上記メモ台支持部に連続して設けた円弧状折曲部を介して支持フレームの前部垂直杆に移行するから、上記メモ台は上記ピンを中心として支持フレームの外側面に沿って下向きに回動し、メモ台は座部の側方に収納される。
【０００３】
上記特許文献１に記載のメモ台は、水平状態で外向きに旋回させたとき、メモ台支持部に連続している円弧状折曲部にスライド金具が当たるが、この円弧状折曲部は湾曲しながら前部垂直杆に連続しているので、勢いよくメモ台を回動させると、スライド金具は折曲部を介して前部垂直杆に移行しやすい。その結果、メモ台の前部が前部垂直杆に沿って下方に移動してメモ台は座部の側方に簡単に移動してしまうおそれがあり、そのため不用意にメモ台が転倒してメモ台上に載置した書類や筆記具を落下させることがある。さらに、支持フレームの外側にメモ台を跳ね上げると、上述のようにして下方に回動して垂下されるので、側方に起立させた状態で保持しておくことができない。
【０００４】
メモ台の移動を所定範囲内で規制するようにした椅子も提案されている(例えば特許文献２参照)。しかし、特許文献２に記載のメモ台は、移動範囲を制御するために回動制御部という部材を特別に製作し、この回転制御部をスライダ部材本体の裏面に固定しなければならないので、構成が複雑になり、経済的に得ることができない。
【先行技術文献】
【特許文献】
【０００５】
【特許文献１】実公昭５５−１４７７号公報（実用新案請求の範囲、図面）
【特許文献２】特開２０１３−１０２７９０号公報（段落００４２、図９、図１１、図１４〜図２１）
【発明の概要】
【発明が解決しようとする課題】
【０００６】
本発明の解決課題は、メモ台を回動させるとき、所定の範囲で回動を停止させることができ、かつそのための機構として特別の部材を必要としない簡単な構成のメモ台付き椅子を提供することである。
【課題を解決するための手段】
【０００７】
本発明によれば、椅子の座部側方に取り付けられるメモ台ユニットと、メモ台に固定される回転ユニットを具備し、メモ台ユニットにはメモ台を水平状態で保持するよう先端部が水平に湾曲する水平部が形成され、回転ユニットはメモ台に固定ねじで取り付けられる固定プレートと該固定プレートに回転可能に連結される連結プレートを有し、上記回転ユニットを上記水平部の周りで回転するよう上記水平部を挟んで受け部プレートと上記回転ユニットの連結プレートを連結ねじで連結し、上記メモ台を所定角度回転した際上記連結ねじと固定ねじが当接するよう上記連結ねじの先端にストッパー部を設けるとともに上記固定ねじに突起を設けたメモ台付き椅子が提供され、上記課題が解決される。
【０００８】
また、本発明によれば、上記メモ台ユニットは上記水平部の下方に延びる起立部と該起立部の下端から座部方向に延びる差込部を有し、座部の下面に上記差込部を着脱可能に挿入支持する受けパイプを設けた上記メモ台付き椅子が提供される。
【発明の効果】
【０００９】
本発明は、上記のように構成され、椅子の座部側方に取り付けられるメモ台ユニットと、メモ台に固定される回転ユニットを具備し、メモ台ユニットにはメモ台を水平状態で保持するよう先端部が水平に湾曲する水平部が形成され、回転ユニットはメモ台に固定ねじで取り付けられる固定プレートと該固定プレートに回転可能に連結される連結プレートを有し、上記回転ユニットを上記水平部の周りで回転するよう上記水平部を挟んで受け部プレートと上記回転ユニットの連結プレートを連結ねじで連結し、上記メモ台を所定角度回転した際上記連結ねじと固定ねじが当接するよう上記連結ねじの先端にストッパー部を設けるとともに上記固定ねじに突起を設けたから、座部に出入りする際、着座者がメモ台を水平状態で水平方向外側に回転させると、連結ねじのストッパー部に固定ねじの突起が当たった位置でメモ台の回動が停止され、停止位置以上に回動しないから、メモ台上の物品を落下させるおそれがない。また、水平状態のメモ台を上部外方に跳ね上げると、メモ台はメモ台ユニットの水平部の周りで回動し、メモ台の上端部が少し前方に回動して連結ねじのストッパー部に固定ねじの突起が当たった位置でメモ台の回動が制限され、起立状態に維持することができる。そして、起立状態のメモ台の上端部を後方に回動させると、メモ台を座部の側方に収納することができ、操作が容易であり、回動制限部材その他の特別の部材を設けずに、組立に要するねじを利用するだけなので、構成も簡単で経済的に得ることができる。
【００１０】
また、上記メモ台ユニットとして、上記水平部の下方に延びる起立部と該起立部の下端から座部方向に延びる差込部を設け、座部の下面に上記差込部を着脱可能に挿入支持する受けパイプを設けると、メモ台が必要なときには、メモ台ユニットを座部に取り付け、不使用時はメモ台ユニットを座部から取り外せばよいので、椅子の整理や取扱いが極めて容易になり、便利に使用することができる。
【図面の簡単な説明】
【００１１】
【図１】本発明の一実施例を示す使用状態の斜視図。
【図２】メモ台を起立させた状態の斜視図。
【図３】メモ台を座部の側方に収納した状態の斜視図。
【図４】メモ台ユニットを椅子本体から分離した状態の斜視図。
【図５】メモ台を収納した状態の側面図。
【図６】メモ台を起立させた状態の説明図。
【図７】ねじ孔が外方位置にある部分の回転ユニットの断面図。
【図８】ねじ孔が内方位置にある部分の回転ユニットの断面図。
【図９】突起がストッパー部に当接した状態の説明図。
【図１０】受け部プレート側から見た正面図。
【図１１】固定プレートを示し、(Ａ)は平面図、(Ｂ)は断面図。
【図１２】連結プレートを示し、(Ａ)は平面図、(Ｂ)は断面図。
【図１３】受け部プレートの平面図。
【図１４】組立状態の説明図。
【図１５】固定ねじの突起が連結ねじのストッパー部に当たっていない状態の説明図。
【図１６】固定ねじの突起が連結ねじのストッパー部に当たった状態の説明図。
【発明を実施するための形態】
【００１２】
図１〜図５は、本発明の一実施例を示し、椅子本体１は、前脚２、前脚２の上部に連続して形成され座部３を支持する座枠４、座枠４の後端に連結され上下方に延びる後脚５、後脚５の上端に形成された背部６を有しているが、本発明は実施例に示す椅子の他に各種の椅子に適応することができる。上記座部３の側方にはメモ台ユニット７が設けられ、該メモ台ユニット７には回転ユニット８を介してメモ台９が設けられている。
【００１３】
上記メモ台ユニット７は、メモ台９を水平状態で保持できるよう先端部１０ａを水平状態で後方に湾曲させた水平部１０を上方に有し、該水平部１０の下方には起立部１１が形成されている。図において、座部３の前方に位置する前部起立部１１ａはほぼ垂直に起立し、後方に位置する後部起立部１１ｂは後脚５方向に向けて傾斜して起立している。そして、上記起立部１１の下端には座部３方向にほぼ水平に延びる差込部１２が形成されている。この差込部１２を挿入可能な受けパイプ１３が座部３の下方の座枠４に設けてある。受けパイプ１３に差込部１２を差し込むことによりメモ台ユニット７を座部３に着脱可能に取り付けでき、受けパイプ１３から差込部１０を抜け出すことによりメモ台ユニット７を椅子本体１から取り外すことができる。なお、上記差込部１２には、差込部の差込位置を規制するための位置決め部材１４を設けてあり、図に示す実施例ではリング状に形成してあるが適宜の形状に形成することができる。
【００１４】
上記メモ台ユニット７には、上記水平部１０を挟んで受け部プレート１５により上記回転ユニット８が取り付けられている。図７〜図１０を参照し、該回転ユニット８は、メモ台９に固定ねじ１６で取り付けられる固定プレート１７と、該固定プレート１７にピンやリベット等の中心軸１８をかしめることにより回転可能にかつ分離不能に連結される連結プレート１９を具備している。上記固定プレート１７は、メモ台９に設けた埋め込みナット２０に固定ねじ１６をねじ込むことにより固定されるが、この固定プレート１７は、図１１に示すように、周辺部よりも隆起し中心軸１８を挿通させる軸孔２１を形成した中央板部２２を有し、その周辺部には固定ねじ１６を挿通させるための取付孔２４を設けた周辺板部２３が設けられている。図において、取付孔２４は４個設けられ、そのうちの３個の取付孔２４の孔縁は皿ねじ等で構成した固定ねじの頭部が固定プレートの平面から突出しないよう皿もみ２５を形成してある。残りの１つの取付孔の孔縁は、六角穴付きねじ等の頭部を有する固定ねじの頭部が固定プレート１７の平面から突出して突起２６となるよう皿もみが形成されていない。
【００１５】
上記連結プレート１９は、固定プレート１７と同じ大きさに形成され、中央部が周辺部よりも凹陥しかつ中心軸１８を挿通させる軸孔２７を形成した中央板部２８を有し、その周辺部には、上記固定ねじ１６をメモ台９にねじ込む際にねじや工具を通すことができるよう透孔２９を有する周辺板部３０を設けてある。上記固定プレート１７と連結プレート１９は、上記中央板部２２、２８を接した状態で中心軸１８を軸孔２１、２７に挿通して回転自在にかつ分離不能に連結される。この構成により、周辺板部２３、３０間には上記固定ねじ１６に設けた突起２６が突出する回動空間３１が形成される。
【００１６】
上記連結プレート１９には、上記受け部プレート１５と連結するための連結ねじ３２をねじ込むためのねじ孔３３が形成されている。このねじ孔は適宜数設けることができ、図に示す実施例では４個設けてある。上記連結ねじ３２の一本の先端には、上記メモ台９を所定角度回転した際、上記固定ねじ１６の突起２６が当たってメモ台の回転を停止させるよう上記回動空間３１に突出する長さのストッパー部３４が形成されている。上記ストッパー部を有していない連結ねじ３２は、その先端が上記回動空間３１に突出しても上記固定ねじ１６の突起２６に干渉しないような位置に設けてある。図に示す実施例では、ねじ孔３３の位置は、メモ台９を回転した際上記固定ねじの突起２６の回転軌跡上に位置するよう回転中心から半径方向の外方に大きなピッチＰ１で設けた外方位置３３ａと、上記回転軌跡に接しないよう回転中心から半径方向の内方に小さなピッチＰ２で設けた内方位置３３ｂに形成され、外方位置３３ａの一つにストッパー部３４を有する長さの長い連結ねじ３２がねじ着され、その他のねじ孔には受け部プレート１５と連結プレート１９を固定するために十分な長さの連結ねじがねじ着される。
【００１７】
上記受け部プレート１５は、上記メモ台ユニット７の水平部１０の周囲を取り囲むよう弧状に湾曲する受け入れ部３５と、該受け入れ部３５の両側に広がる取付部３６を有し、受け入れ部３５には、水平部１０の周方向に延びる制御溝３７が形成され、該制御溝３７を通してストッパーねじ３８が上記水平部１０のねじ孔４０(図１４参照)にねじ着される。受け部プレート１５の制御溝３７は、メモ台９を定位置に保持するとともに水平位置から座部３の側方に起立させたとき、制御溝端にストッパーねじ３８が当たって、メモ台９を起立位置に保持できるように設けてある。上記取付部３６には、上記回転ユニット８の連結プレート１９に設けたねじ孔３３に対応する位置に取付孔３９が設けられている。
【００１８】
上記ように構成された回転ユニット８は、固定ねじ１６によりメモ台９の裏面の取り付けられ、このメモ台９をメモ台ユニット７の水平部１０に受け部プレート１５により取り付ければ、簡単に組立できる(図１４参照)。そして、メモ台９が座部３の前面にくるように回転し、メモ台ユニット７の水平部１０の先端部１０ａにメモ台９を載置すれば、図１に示すように、メモ台は水平状態に維持され、使用することができる。
【００１９】
椅子から立ち上がるときに着座者がメモ台を前部側方にさせると、図１５に示すように、メモ台９に固定した固定ねじ１６の突起２６が回動して連結ねじ３２のストッパー部３４に当たる位置(図１６参照)まで回動してメモ台はその位置で停止し、それ以上回動されるおそれはなく、着座者は安心して座部から立ち上がることができる。また、メモ台を水平部の周りで回転させると、図２に示すように、メモ台を起立状態に跳ね上げることができる。起立状態からメモ台の先端を後方に回転すると、図３に示すように、メモ台９は座部３の側方に垂下した状態で収納される。
【００２０】
さらに、メモ台を使用しないときは、図４に示すように、メモ台ユニット７の差込部１２を受けパイプ１３から抜き出せば、メモ台ユニット７を椅子本体１から取り外すことができるので、椅子の収納、整理を簡便に行うことができる。
【符号の説明】
【００２１】
１    椅子本体
２    前脚
３    座部
４    座枠
５    後脚
６    背部
７    メモ台ユニット
８    回転ユニット
９    メモ台
１０  水平部
１２  差込部
１３  受けパイプ
１５  受け部プレート
１６  固定ねじ
１７  固定プレート
１８  中心軸
１９  連結プレート
２６  突起
３１  回動空間
３２  連結ねじ
３４  ストッパー部
【図１】
0006527387.tif 000002
【図２】
0006527387.tif 000003
【図３】
0006527387.tif 000004
【図４】
0006527387.tif 000005
【図５】
0006527387.tif 000006
【図６】
0006527387.tif 000007
【図７】
0006527387.tif 000008
【図８】
0006527387.tif 000009
【図９】
0006527387.tif 000010
【図１０】
0006527387.tif 000011
【図１１】
0006527387.tif 000012
【図１２】
0006527387.tif 000013
【図１３】
0006527387.tif 000014
【図１４】
0006527387.tif 000015
【図１５】
0006527387.tif 000016
【図１６】
0006527387.tif 000017